(57)【要約】【課題】ゴルフクラブヘッドの質量を増大させたり、製造工程を煩雑にすることなく、ヘッド本体の重心位置を最適位置にすることができるゴルフクラブヘッドおよび該ヘッドを備えたゴルフクラブを提供する。【解決手段】ゴルフクラブヘッド１８のソール部は、アドレス時に接地される第１の部分１と、該第１の部分１からトウ部方向に向けて立ち上がる第２の部分２とを有し、第１および第２の部分１，２は、ヘッド本体の外側に凸な曲面形状を有する。規定のライ角でアドレスした場合に第１の部分１の頂点と接する第１の平面１５と、第２の部分２の頂点に接する第２の平面１６とのなす角度θが３０度以上６０度以下となるように第１の部分１に対する第２の部分２の角度を調整している。【選択図】        図１２
2004202042.tif 000002
【特許請求の範囲】
【請求項１】
ソール部（３）およびクラウン部（６）と、トウ部（５）およびヒール部（４）と、フェイス部（７）およびバック部（８）とを有し、
前記ソール部（３）はアドレス時に接地される第１の部分（１）と、該第１の部分（１）から前記トウ部（５）方向に向けて立ち上がる第２の部分（２）とを有し、
前記第２の部分（２）は、該第２の部分（２）の中央部を通り、前記第１，第２の部分（１）（２）の境界部（１９）から前記トウ部（５）方向に延在する第１の曲線（９）と、前記フェイス部（７）から前記バック部（８）方向に延在する第２の曲線（１０）とを含む曲面形状を有し、
規定のライ角でアドレスした場合に前記第１の部分（１）と接する第１の平面（１５）と、前記第１の曲線（９）の頂点において前記第２の部分（２）と接する第２の平面（１６）とのなす角度が３０度以上６０度以下となるように前記第１の部分（１）に対する前記第２の部分（２）の角度を調整したゴルフクラブヘッド。
【請求項２】
ソール部（３）およびクラウン部（６）と、トウ部（５）およびヒール部（４）と、フェイス部（７）およびバック部（８）とを有し、
前記ソール部（３）はアドレス時に接地される第１の部分（１）と、該第１の部分（１）から前記トウ部（５）方向に向けて立ち上がる第２の部分（２）とを有し、
前記第２の部分（２）は、前記第１，第２の部分（１）（２）の境界部（１９）から前記トウ部（５）方向に延在する曲線（１１）と、前記フェイス部（７）から前記バック部（８）方向に延在する直線（１２）とを含む曲面形状を有し、規定のライ角でアドレスした場合に前記第１の部分（１）と接する第１の平面（１５）と、前記曲線（１１）の頂点において前記第２の部分（２）と接する第２の平面（１６）とのなす角度が３０度以上６０度以下となるように前記第１の部分（１）に対する前記第２の部分（２）の角度を調整したゴルフクラブヘッド。
【請求項３】
ソール部（３）およびクラウン部（６）と、トウ部（５）およびヒール部（４）と、フェイス部（７）およびバック部（８）とを有し、
前記ソール部（３）はアドレス時に接地される第１の部分（１）と、該第１の部分（１）から前記トウ部（５）方向に向けて立ち上がる第２の部分（２）とを有し、
前記第２の部分（２）は、前記第１，第２の部分（１）（２）の境界部（１９）から前記トウ部（５）方向に延在する直線（１３）と、前記フェイス部（７）から前記バック部（８）方向に延在する曲線（１４）とを含む曲面形状を有し、規定のライ角でアドレスした場合に前記第１の部分（１）と接する第１の平面（１５）と、前記第２の部分（２）の中央部において該第２の部分（２）と接する第２の平面（１６）とのなす角度が３０度以上６０度以下となるように前記第１の部分（１）に対する前記第２の部分（２）の角度を調整したゴルフクラブヘッド。
【請求項４】
ソール部（３）およびクラウン部（６）と、トウ部（５）およびヒール部（４）と、フェイス部（７）およびバック部（８）とを有し、
前記ソール部（３）はアドレス時に接地される第１の部分（１）と、該第１の部分（１）から前記トウ部（５）方向に向けて立ち上がる第２の部分（２）とを有し、
前記第２の部分（２）は、平面形状を有し、
規定のライ角でアドレスした場合に前記第１の部分（１）と接する第１の平面（１５）と、前記第２の部分（２）と接する第２の平面（１６）とのなす角度が３０度以上６０度以下となるように前記第１の部分（１）に対する前記第２の部分（２）の角度を調整したゴルフクラブヘッド。
【請求項５】
前記ゴルフクラブヘッド（１８）は金属製外殻構造であり、
前記第２の部分（２）の厚さは０．５ｍｍ以上１．０ｍｍ以下であり、
前記第２の部分（２）の厚さは、前記第１の部分（１）の厚さよりも０．３ｍｍ以上薄いことを特徴とする、請求項１から請求項４のいずれかに記載のゴルフクラブヘッド。
【請求項６】
請求項１から請求項５のいずれかに記載のゴルフクラブヘッド（１８）を備えたゴルフクラブ。
【発明の詳細な説明】
【０００１】
【発明の属する技術分野】
本発明は、ゴルフクラブおよびゴルフクラブヘッドに関し、特に、大型（３００ｍｌ以上）の金属製ゴルフクラブヘッドおよび該ヘッドを備えるゴルフクラブに関する。
【０００２】
【従来の技術】
金属製外殻構造のゴルフクラブヘッドは、たとえばチタンやマグネシウムなどの軽くて強い材料で製造することが可能であり、体積が３００ｍｌ以上の大型のゴルフクラブヘッドが多く開発されている。一方、ゴルフクラブヘッドが大きくなると、ヘッドのコントロール性が低下しやすくなることから、該ヘッドのコントロール性を向上させるための開発もなされている。
【０００３】
ヘッドのコントロール性を向上させる手法として、ゴルフクラブヘッドの重心位置をシャフトの軸線に近い位置にずらせる方法がある。このようにヘッドの重心位置をシャフトの軸先側にずらせたことによる効果としては、たとえば飛球ががスライスしにくくなる、つまりボールの捕まりがよくなることなどが挙げられる。また、スイング時におけるヘッドコントロールが容易となる。
【０００４】
上記のように、重心をシャフトの軸線側にずらせたゴルフクラブヘッドとしては、たとえば特開平１１−４７３１８号公報、特開２００２−３５１７８号公報などが挙げられる。
【０００５】
特開平１１−４７３１８号公報に記載のゴルフクラブヘッドにおいては、シャフト差込み孔の先端部にヘッド本体よりも比重の大きいウエイトを装着し、ヘッドの重心位置をヒール側に移動させている。
【０００６】
また、特開２００２−３５１７８号公報に記載のゴルフクラブヘッドにおいては、ヘッドのフェースの厚さをヒール側からトウ側にいくにつれて薄く設定し、ヘッドの重心位置をヒール側に移動させている。
【０００７】
【特許文献１】
特開平１１−４７３１８号公報
【０００８】
【特許文献２】
特開２００２−３５１７８号公報
【０００９】
【発明が解決しようとする課題】
しかしながら、特開平１１−４７３１８号公報に記載のゴルフクラブヘッドにおいては、ウエイトをヘッド内部に装着する必要があり、ヘッドの製造工程が煩雑となる。また、ヘッド本体よりも比重の大きなウエイトを装着した結果、ヘッドの質量が大きくなる。その結果、ゴルフクラブのスイング調整が難しくなり、ヘッドの重心位置をヒール側にずらせたとしても、十分にヘッドコントロール性を向上させることができない。したがって、ヘッドを大型化することに制限がある。
【００１０】
特開２００２−３５１７８号公報に記載のゴルフクラブヘッドにおいては、耐久性の観点から、フェースの厚さを極端に薄くすることはできない。このため、トウ部の軽量化に関する効果は制限される。
【００１１】
本発明はこのような事情に鑑みてなされたものであり、本発明の目的は、製造工程を煩雑にしたり、ゴルフクラブヘッドの質量を増大させたりすることなく、ヘッド本体の重心位置を最適位置にすることができるゴルフクラブヘッドおよび該ヘッドを備えたゴルフクラブを提供することを目的とする。
【００１２】
【課題を解決するための手段】
本発明に係るゴルフクラブヘッドは、１つの局面では、ソール部およびクラウン部と、トウ部およびヒール部と、フェイス部およびバック部とを有し、ソール部はアドレス時に接地される第１の部分と、該第１の部分からトウ部方向に向けて立ち上がる第２の部分とを有し、第２の部分は、第２の部分の中央部を通り、第１，第２の部分の境界部からトウ部方向に延在する第１の曲線と、フェイス部からバック部方向に延在する第２の曲線とを含む曲面形状を有し、規定のライ角でアドレスした場合に第１の部分と接する第１の平面と、第１の曲線の頂点において第２の部分と接する第２の平面とのなす角度が３０度以上６０度以下程度となるように、第１の部分に対する第２の部分の角度を調整している。
【００１３】
本発明に係るゴルフクラブヘッドは、他の局面では、ソール部およびクラウン部と、トウ部およびヒール部と、フェイス部およびバック部とを有し、ソール部はアドレス時に接地される第１の部分と、該第１の部分からトウ部方向に向けて立ち上がる第２の部分とを有し、第２の部分は、第１，第２の部分の境界部からトウ部方向に延在する曲線と、フェイス部からバック部方向に延在する直線とを含む曲面形状を有し、規定のライ角でアドレスした場合に第１の部分と接する第１の平面と、上記の曲線の頂点において第２の部分と接する第２の平面とのなす角度が３０度以上６０度以下程度となるように、第１の部分に対する第２の部分の角度を調整している。
【００１４】
本発明に係るゴルフクラブヘッドは、さらに他の局面では、ソール部およびクラウン部と、トウ部およびヒール部と、フェイス部およびバック部とを有し、ソール部はアドレス時に接地される第１の部分と、該第１の部分からトウ部方向に向けて立ち上がる第２の部分とを有し、第２の部分は、第１，第２の部分の境界部からトウ部方向に延在する直線と、フェイス部からバック部方向に延在する曲線とを含む曲面形状を有し、規定のライ角でアドレスした場合に第１の部分と接する第１の平面と、第２の部分の中央部において第２の部分と接する第２の平面とのなす角度が３０度以上６０度以下程度となるように、第１の部分に対する第２の部分の角度を調整している。
【００１５】
本発明に係るゴルフクラブヘッドは、さらに他の局面では、ソール部およびクラウン部と、トウ部およびヒール部と、フェイス部およびバック部とを有し、ソール部はアドレス時に接地される第１の部分と、該第１の部分からトウ部方向に向けて立ち上がる第２の部分とを有し、第２の部分は、平面形状を有し、規定のライ角でアドレスした場合に第１の部分と接する第１の平面と、第２の部分と接する第２の平面とのなす角度が３０度以上６０度以下程度となるように、第１の部分に対する第２の部分の角度を調整している。
【００１６】
以上のように、ゴルフクラブヘッド本体のソール部のトウ部側を立ち上がるように形成することで、ヘッドのトウ部側の質量を減じることができる。それにより、ヘッドの重心位置をヒール側、すなわちシャフトの軸心側にずらすことができる。
【００１７】
さらに、アドレス時に接地する第１の部分に対する第２の部分の角度を調整することにより、ヘッド形状のバランスと概観を損ねることなく、ヘッド本体の重心位置を移動させることができる。
【００１８】
また、上記のゴルフクラブヘッドは金属製外殻構造であり、第２の部分の厚さは０．５ｍｍ以上１．０ｍｍ以下程度であり、第２の部分の厚さは、第１の部分の厚さよりも０．３ｍｍ以上程度薄いことが好ましい。
【００１９】
本発明に係るゴルフクラブは、上述のゴルフクラブヘッドを備える。該ゴルフクラブでは、ヘッドの重心位置を最適位置にすることができるので、スイングした時にヘッドコントロールが容易となる。
【００２０】
【発明の実施の形態】
本発明の１つの実施の形態に係るゴルフクラブヘッドは、ソール部およびクラウン部と、トウ部およびヒール部と、フェイス部およびバック部とを有する。
【００２１】
一般に、ゴルフクラブヘッドの体積が大きくなるほど、ゴルフクラブヘッドの重心位置はシャフトの軸心から遠ざかる。本実施の形態におけるゴルフクラブヘッドは、その体積が３００ｍｌから５００ｍｌといった大型の金属製外殻構造のゴルフクラブヘッドを想定している。
【００２２】
ゴルフクラブヘッド本体の材料としては、たとえばＳＵＳ６３０などのステンレス鋼、チタン合金（たとえばＴｉ−６Ａｌ−４ＶまたはＴｉ−１５Ｖ−３Ｃｒ−３Ｓｎ−３Ａｌなど）、および純チタンなどが挙げられる。
【００２３】
上記のソール部はアドレス時に接地される第１の部分を有する。該第１の部分は、アドレス時、すなわち平坦な地面（下地）上にボールをセットしてヘッドを地面の上においた状態でゴルフクラブを持ったプレイヤーが構えたときに地面と接する部分であり、ヘッド本体の底部を構成する。
【００２４】
第１の部分は、アドレス時のヘッドの安定と外観に留意しながら形成され、ヒール部からトウ部方向に延在するヘッド本体の外側に凸な曲線と、フェイス部からバック部方向に延在するヘッド本体の外側に凸な曲線とを含む凸形曲面形状を有する。
【００２５】
ソールセンターラインは、ソール部の中央をフェイス部からバック部方向に横切る仮想の線分であり、たとえば、ヒール部からトウ部方向に延在するヘッド本体の外側に凸な曲線の頂点の集合がソールセンターラインとなる。ソールセンターラインは、フェイス部からバック部方向に延在する、ヘッド本体の外側に凸な曲線を含み、その頂点は第１の部分の凸形曲面の頂点となる。
【００２６】
ゴルフクラブヘッドを、水平な地面上で、予め規定したライ角およびロフト角でアドレスしたとき、第１の部分は、上記の凸形曲面の頂点において、水平な仮想の第１の平面と接する。
【００２７】
本実施の形態においては、上述のとおり、第１の部分に含まれる２方向の凸形曲線を、ヘッド本体の外側に凸な曲線としたが、この２方向の凸形曲線については、各々を直線または内側に凸な曲線、あるいは凹凸を有する曲線とするなどの変形が可能である。たとえば、フェイス部からバック部方向に延在する凸形曲線のみを直線に変更した場合、ソールセンターラインは直線となり、規定のライ角およびロフト角でアドレスしたときには、第１の部分は、該直線において、水平な第１の平面と接する。
【００２８】
ゴルフクラブヘッドは、上記第１の部分からトウ部方向に向けて立ち上がる第２の部分を有する。該第２の部分は、典型的には、第１の部分から斜め上方に立ち上がり、平坦な地面（下地）上で通常にアドレスした場合に地面と接しない。したがって、この部分に絵柄の印刷をしたり、浮き出しのマークなどを表示することにより、美観に優れたヘッドとすることができる。なお、第２の部分の厚さは０．５ｍｍ以上１．０ｍｍ以下程度（より好ましくは０．７ｍｍ以上０．９ｍｍ以下程度）であり、その厚さは、第１の部分の厚さよりも０．３ｍｍ以上程度（より好ましくは０．４ｍｍ以上０．７ｍｍ以下程度）薄いことが好ましい。
【００２９】
第２の部分は、第１の部分のソールセンターラインよりもトウ部側にあって、曲率が急激に大きくなる部分（第１，第２の部分の境界部）からトウ部側に向かって立ち上がる。第２の部分は、たとえば、該第２の部分のフェイス側端とバック側端とをむすぶ線分の中点あるいはその近傍（第２の部分の中央部）を通り、境界部からトウ部方向に延在するヘッド本体の外側に凸な第１の曲線と、フェイス部からバック部方向に延在する、たとえばヘッド本体の外側に凸な第２の曲線とを含む凸形曲面形状を有する。ここで、第１の曲線の頂点において第２の部分と接する平面を、仮想の第２の平面とする。
【００３０】
境界部は、ソールセンターラインよりもトウ部側へ１０ｍｍから４０ｍｍの範囲に形成することが好ましい。なお、該境界部は、ソールセンターラインと平行でなくてもよい。
【００３１】
本実施の形態においては、ソール部のより高い剛性を確保するため、第２の部分における第１および第２の曲線は、ゴルフクラブヘッドの外側に凸な曲線としたが、この第１および第２の曲線については、各々を直線またはゴルフクラブヘッドの内側に凸な曲線、あるいは凹凸を有する曲線とするなどの変形が可能である。たとえば、第１および第２の曲線の両方を直線に変更したとき、第２の部分の中央部は平面形状を有することとなる。この場合、該平面は、第２の平面内に含まれる。
【００３２】
本実施の形態におけるゴルフクラブヘッドにおいては、第１の平面と第２の平面とのなす角度（鋭角側）が３０度以上６０度以下程度（より好ましくは３５度以上５５度以下程度）となるように第１の部分に対する第２の部分の角度を調整している。
【００３３】
上記角度を３０度以上程度とし、ゴルフクラブヘッド本体のソール部のトウ部側を立ち上がるように形成することで、ヘッドのトウ部側の質量を減じることができる。それにより、ヘッドの重心位置をヒール側、すなわちシャフトの軸心側にずらすことができる。ここで、角度を６０度以下程度とすることで、ヘッド形状のバランスと概観を損ねることがない。
【００３４】
また、第２の部分の厚さを、上述のとおり一定の範囲内で第１の部分の厚さより薄くすることで、ヘッドの信頼性および性能を確保しながら、重心のヒール側への移動量をより大きくすることができる。
【００３５】
本発明の１つの実施の形態に係るゴルフクラブは、上述の特徴を有するゴルフクラブヘッド、シャフトおよびグリップを備える。シャフトおよびグリップとしては周知のものを採用可能である。該ゴルフクラブでは、ヘッドの重心位置を最適位置にすることができるので、スイングした時にヘッドコントロールが容易となる。
【００３６】
【実施例】
以下に本発明に基づくゴルフクラブヘッドおよびゴルフクラブの実施例について、図１〜図１２を用いて説明する。
【００３７】
図１は、本実施例のゴルフクラブヘッド１８の斜視図であり、図２はゴルフクラブヘッド１８の平面図である。ゴルフクラブヘッド１８のヘッド本体は、たとえばＴｉ−６Ａｌ−４Ｖなどのチタン合金を用いて鋳造成形した中空外殻構造を有する。なお、本実施例のゴルフクラブは、ゴルフクラブヘッド１８と、図示しないシャフトおよびグリップとを備える。
【００３８】
図１および図２に示すように、ゴルフクラブヘッド１８は、ソール部３およびクラウン部６（図８参照）と、ヒール部４およびトウ部５と、フェイス部７およびバック部８とを有する。
【００３９】
ソール部３は、アドレス時にソールセンターライン１７上で地面（下地）と接し、ヘッド本体の底部を構成する第１の部分１と、該第１の部分１との境界部１９からから斜め上方（トウ部側）に立ち上がり、アドレスした時に地面（下地）と接しない第２の部分２とを含む。
【００４０】
ソール部３の形状について以下に詳細に説明する。図３はゴルフクラブヘッド１８の底面図である。
【００４１】
図３に示すように、第１の部分１は、ヘッド外側に凸でゆるやかな曲面を含む形状を有する。ソールセンターライン１７は、第１の部分１の中央部を延在する。第１，第２の部分１，２の境界部１９は、フェイス部７側において２０ｍｍから４０ｍｍ程度、バック部８側において１０ｍｍから２０ｍｍ程度、ソールセンターライン１７からトウ部５側にずれた位置に設けられる。
【００４２】
第２の部分２は、ソールセンターライン１７よりもトウ部５側の境界部１９より、トウ部５側に向かって立ち上がる。第２の部分２の形状は、該第２の部分の中央部を通り、第１，第２の部分１，２の境界部１９からトウ部５方向に延在するヘッド本体の外側に凸な第１の曲線９と、フェイス部７からバック部８方向に延在するヘッド本体の外側に凸な第２の曲線１０とを含む曲面形状である。
【００４３】
図４は第１の部分１の変形例を示す。図４に示すように、第１の部分１は、たとえばフェイス部からバック部方向には直線形状とすることもできる。この場合ソールセンターライン１７は直線となる。
【００４４】
第２の部分２の形状の変形例としては、たとえば図５に示すように、凸形の曲線１１（第２の部分の中央部を通り、境界部１９からトウ部５方向に延在）と直線１２（フェイス部７からバック部８方向に延在）とを含む場合、図６に示すように、直線１３（第２の部分の中央部を通り、境界部１９からトウ部５方向に延在）と凸形の曲線１４（フェイス部７からバック部８方向に延在）とを含む場合、または図７に示すように平面形状を含む場合などが挙げられる。
【００４５】
曲線９，１０，１１，１４については、上記の変形例以外にも、ヘッド本体内側に凸な曲線であったり、凹凸を有する曲線であってもよい。
【００４６】
第２の部分２が、境界部１９からトウ部５方向の凸形曲線を含む場合（図３、図４、図５）の断面（図２中のＡ−Ａ’）を図８に示す。同様に、第２の部分２が、境界部１９からトウ部５方向の直線を含む場合（図６、図７）の断面を図９に示す。図８および図９に示すように、第２の部分２は、ヘッド外側に凸でゆるやかな曲面または直線と、境界部１９近傍における曲率の大きい内側に凸な曲面とを含む形状を有する。上記の内側に凸な曲面は、図１０（図８の変形例）および図１１（図９の変形例）に示すように省略可能である。
【００４７】
ゴルフクラブヘッドが、水平な地面上で、予め規定したライ角およびロフト角でアドレスされたとき、第１の部分１は、図１２に示すように、ソールセンターライン上に位置する凸形の曲面の頂点２０において、水平な仮想の第１の平面１５と接する。なお、第１の部分１の形状が、フェイス部からバック部方向に直線形状である場合には、該第１の部分１は、ソールセンターライン１７において第１の平面１５と接する。
【００４８】
第１の曲線９の頂点２１において、第２の部分２と接する平面を、仮想の第２の平面１６とする。
【００４９】
図５の変形例においては、曲線１１の頂点を含む直線または曲線において、同じく図６においては、第２の部分２の中央部において、第２の部分２と接する平面を仮想の第２の平面１６とする。また、図７においては、第２の部分２の中央部を含む平面を第２の平面１６とする。
【００５０】
第１の平面１５と、第２の平面１６とのなす角度（図１２中のθ）を４０度とする。また、ソール部３の第１の部分１の厚さは０．７ｍｍから０．９ｍｍ程度であり、第２の部分２の厚さは１．３ｍｍから１．６ｍｍ程度である。ゴルフクラブヘッド１８の体積は４００ｍｌである。
【００５１】
以上の構成による本実施例のゴルフクラブヘッド１８においては、ソール部３に第２の部分２を有しない従来の構造の同体積のヘッド本体よりも、６ｇ程度トウ部側が軽量化される。よって、従来構造と同重量のヘッド本体を製造する場合、６ｇ程度の重量をヒール側に付加することができる。この結果、ゴルフクラブヘッド１８の重心位置を１．５ｍｍ程度シャフトの軸線側に近づけることができる。
【００５２】
本実施例のゴルフクラブと、ヘッド本体のソール部３に第２の部分２を有しない、従来のゴルフクラブとを用いて行なった実打試験の結果を表１に示す。なお、ヘッド本体の重量（１９５ｇ）および体積（４００ｍｌ）と、ヘッド本体以外の部材（たとえばグリップやシャフトなど）とは、双方のゴルフクラブにおいて同一である。
【００５３】
【表１】
2004202042.tif 000003
【００５４】
実打試験は、上級者１０名がそれぞれ１００球ずつ実打し、実打された各々の飛球の、意図する飛球方向の線上からの距離を測定し、その平均を求めた。表１においては、飛球方向の中心を０とし、フック方向へ飛んだものを−、スライス方向へ飛んだものを＋と示す。
【００５５】
表１に示す試験結果によると、本実施例のゴルフクラブヘッド１８を備えたゴルフクラブによる飛球は、フック方向に飛びやすく（スライス方向に飛びにくく）、また全体として飛球方向のばらつきが小さい。これは、本実施例のゴルフクラブは、従来のものに比べてゴルフボールの捕まりがよく、かつ、コントロールしやすいゴルフクラブであることを示している。
【００５６】
以上、本発明の実施の形態および実施例について説明したが、今回開示された実施の形態および実施例は全ての点で例示であって制限的なものではないと考えられるべきである。本発明の範囲は特許請求の範囲によって示され、特許請求の範囲と均等の意味および範囲内での全ての変更が含まれることが意図される。
【００５７】
【発明の効果】
本発明によれば、製造工程を煩雑にしたり、ゴルフクラブヘッドの質量を増大させたりすることなく、ヘッドの重心位置を最適位置にしたゴルフクラブヘッドおよびゴルフクラブを提供することができる。
【図面の簡単な説明】
【図１】本発明の１つの実施例に係るゴルフクラブヘッドの斜視図である。
【図２】本発明の１つの実施例に係るゴルフクラブヘッドの平面図である。
【図３】本発明の１つの実施例に係るゴルフクラブヘッドの底面図である。
【図４】本発明の１つの実施例に係るゴルフクラブヘッドの変形例の底面図である。
【図５】本発明の１つの実施例に係るゴルフクラブヘッドの他の変形例の底面図である。
【図６】本発明の１つの実施例に係るゴルフクラブヘッドのさらに他の変形例の底面図である。
【図７】本発明の１つの実施例に係るゴルフクラブヘッドのさらに他の変形例の底面図である。
【図８】本発明の１つの実施例に係るゴルフクラブヘッドの断面図である。
【図９】本発明の１つの実施例に係るゴルフクラブヘッドの変形例の断面図である。
【図１０】本発明の１つの実施例に係るゴルフクラブヘッドの他の変形例の断面図である。
【図１１】本発明の１つの実施例に係るゴルフクラブヘッドのさらに他の変形例の断面図である。
【図１２】本発明の１つの実施例に係るゴルフクラブヘッドに接する仮想の平面の関係を示した斜視図である。
【符号の説明】
１  第１の部分、２  第２の部分、３  ソール部、４  ヒール部、５  トウ部、６  クラウン部、７  フェイス部、８  バック部、９  第１の曲線、１０  第２の曲線、１１  曲線（境界部−トウ部方向）、１２  直線（フェイス部−バック部方向）、１３  直線（境界部−トウ部方向）、１４  曲線（フェイス部−バック部方向）、１５  第１の平面、１６  第２の平面、１７  ソールセンターライン、１８  ゴルフクラブヘッド、１９  境界部、２０  頂点（第１の部分）、２１  頂点（第２の部分）。
【図１】
2004202042.tif 000004
【図２】
2004202042.tif 000005
【図３】
2004202042.tif 000006
【図４】
2004202042.tif 000007
【図５】
2004202042.tif 000008
【図６】
2004202042.tif 000009
【図７】
2004202042.tif 000010
【図８】
2004202042.tif 000011
【図９】
2004202042.tif 000012
【図１０】
2004202042.tif 000013
【図１１】
2004202042.tif 000014
【図１２】
2004202042.tif 000015